(57)【要約】【課題】引起装置（８）の着脱作業の効率化を図る。【解決手段】植立穀稈を引き起す引起装置（８）駆動用の引起し駆動軸（２９）を、刈取装置（４）本体側の駆動軸（２９ａ）と引起装置（８）側の被駆動軸（２９ｂ）とに分割すると共に、駆動軸（２９ａ）と被駆動軸（２９ｂ）とを係合および離脱自在に構成し、被駆動軸（２９ｂ）を引起装置（８）側に軸受する軸受体（３２）には、被駆動軸（２９ｂ）の端部に形成したカップリング部（３０ｂ）を閉塞する状態と開放する状態とに切り替える開閉蓋（３３）を設け、刈取装置（４）本体に引起装置（８）を取付ける時には開閉蓋（３３）が開き、刈取装置（４）本体から引起装置（８）を取外した時には開閉蓋（３３）が閉じるように、引起装置（８）の着脱操作と開閉蓋（３３）の開閉作動とを連動させる。【選択図】図４
2012157251.tif 000002
【特許請求の範囲】
【請求項１】
植立穀稈を引き起す引起装置（８）駆動用の引起し駆動軸（２９）を、刈取装置（４）本体側の駆動軸（２９ａ）と引起装置（８）側の被駆動軸（２９ｂ）とに分割すると共に、該駆動軸（２９ａ）と被駆動軸（２９ｂ）とを係合および離脱自在に構成し、前記被駆動軸（２９ｂ）を引起装置（８）側に軸受する軸受体（３２）には、該被駆動軸（２９ｂ）の端部に形成したカップリング部（３０ｂ）を閉塞する状態と開放する状態とに切り替える開閉蓋（３３）を設け、刈取装置（４）本体に引起装置（８）を取付ける時には前記開閉蓋（３３）が開き、刈取装置（４）本体から引起装置（８）を取外した時には該開閉蓋（３３）が閉じるように、引起装置（８）の着脱操作と開閉蓋（３３）の開閉作動とを連動させたことを特徴とする刈取装置の穀稈引起装置。
【請求項２】
前記引起装置（８）の下部側が刈取装置（４）本体側の支持パイプ（１６）に係合することに連動して開閉蓋（３３）を開かせる連動機構を設けたことを特徴とする請求項１記載の刈取装置の穀稈引起装置。
【請求項３】
前記開閉蓋（３３）を閉鎖状態に固定するマグネット（３８）を設けたことを特徴とする請求項１又は請求項２記載の刈取装置の穀稈引起装置。
【請求項４】
前記開閉蓋（３３）を、軸受体（３２）の上部側を支点として上下に揺動開閉する構成としたことを特徴とする請求項１又は請求項２又は請求項３記載の刈取装置の穀稈引起装置。
【請求項５】
前記開閉蓋（３３）が開いた状態では、該開閉蓋（３３）が後方上向きの傾斜姿勢になる構成としたことを特徴とする請求項１から請求項４のいずれか一項記載の刈取装置の穀稈引起装置。
【請求項６】
前記引起装置（８）を刈取装置（４）側に取付けた状態でロックするロック手段（４０）を、前記開閉蓋（３３）よりも下方の部位に配置したことを特徴とする請求項１から請求項５のいずれか一項記載の刈取装置の穀稈引起装置。
【発明の詳細な説明】
【技術分野】
【０００１】
この発明は、植立穀稈を引き起しながら刈り取る刈取装置の穀稈引起装置に関する。
【背景技術】
【０００２】
従来、例えば、特許文献１に示すように、刈刃装置や掻込搬送装置等を点検したり、穀稈の詰りなどによるトラブル解消の際、着脱可能な穀稈引起装置を取り外し、刈刃装置や掻込搬送装置の前方を開放してメンテナンスなどの作業の容易化を図るようにしたものがある。
【先行技術文献】
【特許文献】
【０００３】
【特許文献１】特開２００７−７５０３１号公報
【発明の概要】
【発明が解決しようとする課題】
【０００４】
かかる従来構成のものでは、取り外した引起装置は、置き場所にもよるが、これを地面に直接置いた場合、引起し側駆動軸のカップリング部に泥が付着したり、スプライン穴の場合にはゴミや小石等が入り込み、装着時のドッキングに不具合が生じる問題があった。
【０００５】
本発明の課題は、駆動軸のカップリング部を覆う開閉可能な蓋を設けることによって上記の問題点を解消せんとするものである。
【課題を解決するための手段】
【０００６】
この発明は、上記課題を解決すべく次のような技術的手段を講じた。
すなわち、請求項１記載の発明は、植立穀稈を引き起す引起装置（８）駆動用の引起し駆動軸（２９）を、刈取装置（４）本体側の駆動軸（２９ａ）と引起装置（８）側の被駆動軸（２９ｂ）とに分割すると共に、該駆動軸（２９ａ）と被駆動軸（２９ｂ）とを係合および離脱自在に構成し、前記被駆動軸（２９ｂ）を引起装置（８）側に軸受する軸受体（３２）には、該被駆動軸（２９ｂ）の端部に形成したカップリング部（３０ｂ）を閉塞する状態と開放する状態とに切り替える開閉蓋（３３）を設け、刈取装置（４）本体に引起装置（８）を取付ける時には前記開閉蓋（３３）が開き、刈取装置（４）本体から引起装置（８）を取外した時には該開閉蓋（３３）が閉じるように、引起装置（８）の着脱操作と開閉蓋（３３）の開閉作動とを連動させたことを特徴とする刈取装置の穀稈引起装置とする。
【０００７】
この構成により、引起装置（８）を刈取装置（４）本体に取付ける時には、閉じていた開閉蓋（３３）が開く。そして、被駆動軸（２９ｂ）の端部に形成されたカップリング部（３０ｂ）を駆動軸（２９ａ）の端部に係合させる。
【０００８】
引起装置（８）を刈取装置（４）本体から取り外した時には、開閉蓋（３３）が閉まり、被駆動軸（２９ｂ）のカップリング部（３０ｂ）が覆われる。このため、取り外した引起装置（８）は、そのまま地面に置いても、被駆動軸（２９ｂ）のカップリング部（３０ｂ）が覆われているため、ゴミや泥土等の異物の浸入が防止される。
【０００９】
請求項２記載の発明は、前記引起装置（８）の下部側が刈取装置（４）本体側の支持パイプ（１６）に係合することに連動して開閉蓋（３３）を開かせる連動機構を設けたことを特徴とする請求項１記載の刈取装置の穀稈引起装置とする。
【００１０】
この構成により、取り外していた引起装置（８）を刈取装置（４）本体に取付ける際に、この引起装置（８）の下部側を刈取装置（４）本体側の支持パイプ（１６）に係合させると、これに連動して開閉蓋（３３）が開き、被駆動軸（２９ｂ）を駆動軸（２９ａ）に係合できる状態となる。
【００１１】
請求項３記載の発明は、前記開閉蓋（３３）を閉鎖状態に固定するマグネット（３８）を設けたことを特徴とする請求項１又は請求項２記載の刈取装置の穀稈引起装置とする。
この構成により、開閉蓋（３３）を磁力によって閉じた状態に固定することができるので、固定手段を簡素に構成でき、固定解除操作にも手間がかからない。
【００１２】
請求項４記載の発明は、前記開閉蓋（３３）を、軸受体（３２）の上部側を支点として上下に揺動開閉する構成としたことを特徴とする請求項１又は請求項２又は請求項３記載の刈取装置の穀稈引起装置とする。
【００１３】
この構成により、開閉蓋（３３）は自重によって閉じ方向に付勢されるため、連動機構を簡素に構成できる。
請求項５記載の発明は、前記開閉蓋（３３）が開いた状態では、該開閉蓋（３３）が後方上向きの傾斜姿勢になる構成としたことを特徴とする請求項１から請求項４のいずれか一項記載の刈取装置の穀稈引起装置とする。
【００１４】
この構成により、開いた状態の開閉蓋（３３）によって駆動側の軸受体と被駆動側の軸受体（３２）との接合部を上方からカバーすることができ、接合部からのゴミの浸入を防止することができる。
【００１５】
請求項６記載の発明は、前記引起装置（８）を刈取装置（４）側に取付けた状態でロックするロック手段（４０）を、前記開閉蓋（３３）よりも下方の部位に配置したことを特徴とする請求項１から請求項５のいずれか一項記載の刈取装置の穀稈引起装置とする。
【００１６】
この構成により、引起装置（８）を刈取装置（４）側に取付けた状態でロックするロック手段（４０）が開閉蓋（３３）が開閉作動する位置を避けた下方の部位に配置しているので、このロック手段（４０）のロック及びロック解除操作が行い易く、簡単な構成で確実にロックすることができる。
【発明の効果】
【００１７】
請求項１記載の発明によれば、引起装置（８）を取外した時には、引起装置（８）側の被駆動軸（２９ｂ）のカップリング部（３０ｂ）が開閉蓋（３３）によって覆われるので、取外した引起装置（８）を地面に置いても、泥土などの異物がこのカップリング部（３０ｂ）に入り込みにくくなり、引起装置（８）を刈取装置（４）本体に取付ける時の伝動の接続が円滑に行え、引起装置（８）の着脱作業の効率化を図ることができる。
【００１８】
請求項２記載の発明によれば、上記請求項１記載の発明の効果を奏するうえに、引起装置（８）の下部側を刈取装置（４）本体側の支持パイプ（１６）に係合させると、これに連動して開閉蓋（３３）が開くので、引起装置（８）の一連の取付け操作を容易に行なうことができる。
【００１９】
請求項３記載の発明によれば、上記請求項１又は請求項２記載の発明の効果を奏するうえに、開閉蓋（３３）を磁力によって閉じ状態に固定できるので、固定手段を簡素化でき、固定解除操作も容易に行なうことができる。
【００２０】
請求項４記載の発明によれば、上記請求項１又は請求項２又は請求項３記載の発明の効果を奏するうえに、開閉蓋が軸受体（３２）の上部側を支点として上下に揺動開閉する構成であるため、自重によって閉じ方向に付勢されることで、連動機構を簡素化することができる。
【００２１】
請求項５記載の発明によれば、上記請求項１から請求項４のいずれか一項記載の発明の効果を奏するうえに、開閉蓋（３３）が開き状態では後方上向きの傾斜姿勢となるため、この開き状態の開閉蓋（３３）によって駆動側の軸受体と被駆動側の軸受体（３２）との接合部を上方からカバーすることができ、接合部からのゴミの浸入を防止することができる。
【００２２】
請求項６記載の発明によれば、上記請求項１から請求項５のいずれか一項記載の発明の効果を奏するうえに、引起装置（８）をロックするロック手段（４０）が開閉蓋（３３）よりも下方の部位に配置されているので、ロック手段（４０）によるロック及びロック解除操作が行い易く、簡単な構成で確実にロックすることができる。
【図面の簡単な説明】
【００２３】
【図１】コンバインの側面図
【図２】４条分穀稈引起装置の正面図
【図３】中央側の引起装置を取り外し場合の要部の正面図
【図４】引起装置の取付け状態を示す側面図
【図５】引起装置を取り除いたばあいの引起し支持フレームの側面図
【図６】引起装置の要部の正面図
【図７】同上要部の側面図
【図８】引起装置の要部の拡大正面図
【図９】同上要部の拡大側面図、
【図１０】引起装置の要部の拡大正面図
【図１１】同上要部の拡大側面図
【発明を実施するための形態】
【００２４】
この発明の実施例を図面に基づき説明する。
図１は、コンバインの側面図を示すものであり、この走行車体１には、左右一対の走行クローラ２，２を備え、後部に搭載した脱穀装置３の前方部に刈取装置４を設置し，刈取装置４の横側部には運転席５や操作ボックス６等の運転操作部を備え、更に、その運転操作部の後方には脱穀粒を一時的に貯留するグレンタンクＧを装備している。
【００２５】
刈取装置４は、植立する穀稈を左右に分草する分草体７，７…、分草後の穀稈を引き起す４条分の穀稈引起装置８…、引起し後の穀稈を切断するバリカン式の刈刃装置９、刈取後の穀稈を掻込搬送する掻込搬送装置１０、掻込搬送後の穀稈を引き継いで揚上搬送し後方の脱穀装置３の脱穀フィードチェン１２に搬送供給する刈取穀稈搬送装置１１等からなり、刈取入力軸１３を支点として上下に昇降可能で前後方向に沿わせて設けた刈取縦フレーム１７及び該刈取縦フレームの先端に左右横方向に沿わせて設けた刈取横フレーム１８に装備している。刈取縦フレーム１７内には刈取縦伝動軸を内装し、前記刈取横フレーム１８内の刈取横伝動軸を駆動すべく連動構成している。
【００２６】
引起装置８は、図２に示すように、４条分の引起装置８ａ，８ｂ，８ｃ，８ｄが配置されてあり、これらの内、左右の引起装置９ａ，８ｄは、上部が刈取横フレーム１８から立設する引起し縦伝動パイプ１９、各引起装置上部に横架する引起し横伝動ケース２０から動力伝達可能に装着支持されている。
【００２７】
そして、中央側の引起装置８ｂ，８ｃは、前記引起し横伝動ケース２０の中間部から下方に延出する中伝動パイプ２１、これより左右に分岐する分岐伝動パイプ２２、分岐伝動パイプの左右側から下方に延出された引起し支持フレーム２３等によって動力伝達可能に、且つ着脱自在に装着支持されるようになっている。また、この引起装置８ｂ，８ｃの下部側は、前記分草体７の分草支持フレーム１４から上方に突設する支持ステー１５によって左右横方向に横架された支持パイプ１６に係合保持されるようになっている。
【００２８】
また、引起装置８は、前後の引起しケース２４ａ，２４ｂと、該ケース内に内装軸架される引起しラグ２５付き無端チェン２６と、該無端チェンを巻回する駆動スプロケット２７及び従動輪体２８からなり、前記分岐伝動パイプ２２から前方に向けて突設する引起し駆動軸２９によって回転駆動すべく連動構成している。そして、前記引起し駆動軸２９は、駆動側の刈取装置側２９ａ（駆動軸２９ａ）と被駆動側の引起し側２９ｂ（被駆動軸２９ｂ）とに分離して、動力伝達可能で且つ嵌脱自在に構成している。実施例では駆動側の軸を角軸３０ａとし、被駆動側の軸を角穴（カップリング）３０ｂとし、互いにドッキング可能に構成している。角軸３０ａと角穴３０ｂのドッキング状態では、駆動側の軸受体３１と被駆動側の軸受体３２との対向面が密に接合されるようになっている。
【００２９】
被駆動側の軸受体３２上には、被駆動軸のカップリング部３０ｂを閉塞する状態と開放する状態とに切り替えができる開閉蓋３３が枢支ピン３４を回動支点として上下に揺動開閉自在に設けられている。
【００３０】
引起装置取付け時に、引起装置の下部側を支持パイプ１６上に係合保持させると、該支持パイプ１６に係合して上昇作動する昇降可能な昇降アーム３５、昇降アーム３５に連動して揺動作動する揺動アーム３６、揺動アーム３６によって下方に引き操作する開閉操作ワイヤー３７等の連動機構を介して開閉蓋３３が枢支ピン３４を支点として後方上向きの傾斜角度になる位置まで大きく開くようになっている。そして、引起装置８の下部側を後記するロック手段によってロックした後、引起装置の上部側を下部側の支持パイプ１６を支点として後方に回動させると、被駆動側軸のカップリング部３０ｂが駆動側軸角軸部３０ａにドッキングされることになる。そして、ドッキング後は引起装置の上部側をロック手段をもってロックすればよく、また、ドッキング後の開閉蓋は、前後の軸受体３１，３２の接合部分を上方からカバーする状態となる。
【００３１】
引起装置を取り外した時には、上記の開閉蓋３３は、自重によって閉じるようになっており、マグネット３８によって固定する構成としている。
ロック手段４０は、引起装置の上下位置に設けられ、係合保持具４１と、係止フック４２とロックレバー４３などからなり、引起装置を簡単にロックでき、ロックの解除も簡単に行えるようになっている。なお、引起装置の上部側のロック手段４０は、開閉蓋３３の存在位置よりも下方位置に配置されている。
【００３２】
開閉蓋の開閉構成の別実施例として、軸受体の下部側を支点として揺動開閉するように構成するものであってもよく、また、蓋はスプリングにて常時閉じる側に付勢するものであってもよい。
【００３３】
取り外した引起装置の支持方法として、引起しケースに折畳み可能なスタンドを設けたり、折畳み可能な３脚或は４脚の支持脚を設けることによって接地支持するようにし、カップリング部を汚さないように構成することもできる。
【００３４】
また、引起装置の適所に吊下げフックを設けることによって、取り外した引起装置を本機の適所に吊下げてきるように構成することもできる。
引起装置を取り外すと、スイッチのＯＮ・ＯＦＦにより本機の操作を制限したり、エンジンがかからないようにするとか、また、刈取装置が駆動されないように構成しておくと、安全に対処することができる。
【符号の説明】
【００３５】
４    刈取装置
８    穀稈引起装置
１６    支持パイプ
２９    引起し駆動軸
２９ａ  駆動軸
２９ｂ  被駆動軸
３０ｂ  角穴部（カップリング部）
３２    軸受体
３３    開閉蓋
３８    マグネット
４０    ロック手段
【図１】
2012157251.tif 000003
【図２】
2012157251.tif 000004
【図３】
2012157251.tif 000005
【図４】
2012157251.tif 000006
【図５】
2012157251.tif 000007
【図６】
2012157251.tif 000008
【図７】
2012157251.tif 000009
【図８】
2012157251.tif 000010
【図９】
2012157251.tif 000011
【図１０】
2012157251.tif 000012
【図１１】
2012157251.tif 000013